(57)【要約】【課題】遊動ガイドが緩み難く、滑らかな剛性変化が得られる穂先竿杆を備えた釣竿を提供する。【解決手段】本発明の釣竿は、中実状の芯材１２を具備し、芯材１２に釣糸を挿通させる遊動ガイド２０を装着した穂先竿杆１０を有する。中実状の芯材１２は、先端側に形成されるストレート状部１２ａと、ストレート状部の基端側に形成されるテーパ部１２ｂと、テーパ部の基端側に形成され、テーパ部１２ｂのテーパよりも緩いテーパとなる緩テーパ部１２ｃと、を備えており、遊動ガイド２０の固定位置を、緩テーパ部１２ｃとしたことを特徴とする。【選択図】図３
2010104264.tif 000002
【特許請求の範囲】
【請求項１】
中実状の芯材を具備し、前記芯材に釣糸を挿通させる遊動ガイドを装着した穂先竿杆を有する釣竿であって、
前記中実状の芯材は、先端側に形成されるストレート状部と、ストレート状部の基端側に形成されるテーパ部と、テーパ部の基端側に形成され、前記テーパ部のテーパよりも緩いテーパとなる緩テーパ部と、を備えており、
前記遊動ガイドの固定位置を、前記緩テーパ部としたことを特徴とする釣竿。
【請求項２】
前記ストレート状部は、先端から２０〜５０ｍｍの範囲で形成されることを特徴とする請求項１に記載の釣竿。
【発明の詳細な説明】
【技術分野】
【０００１】
本発明は、釣竿に関し、詳細には、穂先竿杆に特徴を有する釣竿に関する。
【背景技術】
【０００２】
従来、釣竿の穂先竿杆として、例えば、特許文献１に開示されているように、中実状の芯材（超弾性合金）を用いることが知られている。このような超弾性合金で構成された穂先竿杆は、折れ難く撓み性に優れるため、細径化することが可能となり、小さい魚信を感知できるという利点がある。
【０００３】
また、特許文献１に開示されている穂先竿杆は、先端部から４〜２０ｍｍの範囲をストレート部とし、その部分にトップガイドを装着できるようにすると共に、ストレート部に連続して急テーパ部を形成し、その部分に釣糸ガイドを接着固定するようにしている。
【特許文献１】特開２００６−６２２９号
【発明の開示】
【発明が解決しようとする課題】
【０００４】
上記したように構成される穂先竿杆は、釣糸ガイドが固定されているため、仕舞い寸法を考慮した振り出し式の釣竿に適用することはできない。また、上記した構成の穂先竿杆では、仮に釣糸ガイドとして遊動ガイドを用いても、以下の問題がある。
【０００５】
上記したような穂先竿杆を有する釣竿は、実釣時において、仕掛けを巻き込んで、穂先竿杆が通常の曲がりに比較して大きく曲がることがある。このような状態では、遊動ガイドが急テーパ部に固定されていると、図４に示すように、穂先竿杆５０の外面と遊動ガイド６０のパイプ６１の内面が面接触ではなく、点接触状態もしくは線接触状態となってしまい、遊動ガイド６０の固定力が低下して緩んでしまう、という問題が生じる。
【０００６】
また、上記した構成では、急テーパ部に釣糸ガイドを装着する構成のため、穂先竿杆の先側において滑らかな剛性変化が得られなくなり、繊細な魚信感度を得ることが難しい、という問題が生じる。
【０００７】
本発明は、上記した問題に基づいてなされたものであり、遊動ガイドが緩み難く、滑らかな剛性変化が得られる穂先竿杆を備えた釣竿を提供することを目的とする。
【課題を解決するための手段】
【０００８】
上記した目的を達成するために、本発明に係る釣竿は、中実状の芯材を具備し、前記芯材に釣糸を挿通させる遊動ガイドを装着した穂先竿杆を有しており、前記中実状の芯材は、先端側に形成されるストレート状部と、ストレート状部の基端側に形成されるテーパ部と、テーパ部の基端側に形成され、前記テーパ部のテーパよりも緩いテーパとなる緩テーパ部と、を備えており、前記遊動ガイドの固定位置を、前記緩テーパ部としたことを特徴とする。
【０００９】
上記した構成の釣竿によれば、例えば、仕掛けを巻き込んで穂先竿杆が撓んだ際に、最も大きく撓む部分（屈曲ポイント）が、ストレート状部とテーパ部との境界領域となる。前記遊動ガイドは、テーパ部よりも基端側に形成される緩テーパ部上に固定されており、屈曲ポイントから離れているため、穂先竿杆が大きく撓んでも、穂先竿杆の外面と遊動ガイドのパイプの内面との間の面接触状態が大きく損なわれることはない。従って、穂先竿杆が大きく撓んだ際に、遊動ガイドが緩むことが抑制される。また、穂先竿杆のストレート状部とテーパ部には、遊動ガイドが固定されないことから、穂先竿杆の先側が滑らかな剛性変化となり、調子の向上が図れる。
【発明の効果】
【００１０】
本発明によれば、遊動ガイドが緩み難く、滑らかな剛性変化が得られる穂先竿杆を備えた釣竿が得られるようになる。
【発明を実施するための最良の形態】
【００１１】
図１から図３は、本発明に係る釣竿の一実施形態を示す図であり、図１は全体構成を示す図、図２（ａ）は穂先竿杆の主要部の構成を示す図、図２（ｂ）は穂先竿杆の主要部の縦断面図、そして、図３（ａ）は穂先竿杆の通常状態を示す図、図３（ｂ）は仕掛けを巻き込んだ場合等、穂先竿杆が大きく撓んだ状態を示す図である。
【００１２】
本実施形態の釣竿１は、元竿３、複数の中竿５、及び穂先竿杆１０を備えた構成となっており、各竿は、振り出し式によって継合されている。この場合、中竿５は無い構成であっても良いし、図１に示すように、多数本継合されていても良い。
【００１３】
前記元竿３及び中竿５は、繊維強化樹脂製の管状体で構成されており、例えば、強化繊維（主に炭素繊維やガラス繊維等）に、エポキシ樹脂等の合成樹脂を含浸した繊維強化樹脂プリプレグ（プリプレグシート）を芯金に巻回し、加熱工程を経た後、脱芯する等、定法に従って所定の寸法に形成されている。
【００１４】
また、釣竿１には、元竿３に装着されるリールＲからの釣糸を案内する外ガイドが複数個、装着されており、前記穂先竿杆１０には、後述するように、少なくとも１個以上の遊動ガイドが装着される。
【００１５】
前記穂先竿杆１０は、中実状の芯材１２を備えており、この芯材は、超弾性合金素材（例えば、Ｎｉ−Ｔｉ系合金、Ｆｅ−Ａｌ合金等）によって形成されている。この場合、穂先竿杆１０は、そのような中実状の芯材１２のみで構成されていても良いし、芯材１２が嵌入される管状の中空体を備えた構成であっても良い。
【００１６】
なお、前記芯材１２は、超弾性合金素材によって形成しておくことで、後述するような屈曲ポイントを設けて大きく撓む部分を形成しても折れ難くすることが可能となる。もちろん、芯材１２は、中実で柱状に構成されたものであれば良く、例えば、ガラス繊維や炭素繊維等にエポキシ樹脂等の合成樹脂を含浸して形成される強化繊維樹脂などの材料によって形成されていても良い。
【００１７】
前記芯材１２の先端部には、釣糸を導出させるトップガイド１５が取着されている。また、芯材１２の表面形状については、所定の位置で屈曲ポイント（撓んだときに最も曲率が大きくなる位置）が生じるように、軸長方向に沿って変化するように形成されている。
【００１８】
以下、芯材１２の構成について具体的に説明する。
【００１９】
芯材１２は、先端側から所定の位置に屈曲ポイントが形成されるように、軸長方向に沿った表面状態が変化する変化部１２Ａを備えている。この変化部１２Ａは、芯材１２が撓んだとき、最も曲率半径が小さくなる（最も曲率が大きくなる）部分であり、本実施形態では、芯材１２の表面に、軸長方向基端側に移行するに連れて次第に拡径するテーパ部を設けることで変化部１２Ａを形成するようにしている。
【００２０】
具体的には、芯材１２の先端側に、ストレート状部１２ａと、ストレート状部１２ａの基端側にテーパ部１２ｂを形成しておき、ストレート状部１２ａとテーパ部１２ｂの境界部分で変化部１２Ａが形成されるようにしている。
【００２１】
この場合、ストレート状部１２ａは、軸長方向に沿って外径が変化することのない厳密なストレート形状であっても良いし、基端側に移行するに連れて僅かに拡径して行くようなテーパ形状であっても良い。ただし、そのようなテーパ形状であっても、テーパ部１２ｂのテーパよりも緩く形成されている。
【００２２】
前記テーパ部１２ｂのテーパについては、特に限定されることはないが、穂先竿の調子等を考慮して、２．５０／１０００〜７．５０／１０００の範囲で形成されていれば良く、変化部１２Ａの外径については、０．４０〜０．８０ｍｍの範囲で形成されていれば良い。
【００２３】
また、前記芯材１２には、テーパ部１２ｂの基端側に、連続してテーパ部１２ｂのテーパよりも緩いテーパとなる緩テーパ部１２ｃが形成されている。
【００２４】
このような緩テーパ部１２ｃを形成しておくことにより、前記テーパ部１２ｂによって穂先竿杆１０の先端領域が太径化することが防止され、軽量化が図れると共に、穂先竿杆１０の調子の向上を図ることが可能となる。また、このような緩テーパ部１２ｃは、遊動ガイド２０（先端側遊動ガイド）が固定される領域となっている。
【００２５】
前記遊動ガイド２０は、芯材１２に対して挿通されるパイプ２１を具備しており、この部分を把持して軸方向に摺動することで、そのパイプ２１の内面が緩テーパ部１２ｃの外面と面接触して固定される。このため、緩テーパ部１２ｃのテーパについては、大き過ぎたり小さ過ぎると、パイプ２１の内周面との間で接触領域が十分確保されず、緩み易くなってしまうので、そのテーパについては、前記テーパ部１２ｂのテーパよりも小さく、かつ０．００／１０００〜０．５０／１０００の範囲で形成されていることが好ましい。また、前記基端部１２Ｂ（テーパ部１２ｂと以下の緩テーパ部１２ｃとの境界）の外径については、０．７０〜１．２０ｍｍの範囲で形成されていることが好ましい。
【００２６】
前記ストレート状部１２ａについては、短過ぎると、変化部１２Ａが先端から近過ぎて屈曲ポイントとなり難くると共に、穂先調子も低下してしまう。また、前記ストレート状部１２ａは、長過ぎると、仕掛けの巻き込み時において最大曲率となる位置を遊動ガイド２０の固定位置よりも穂先側に移すことはできるものの、穂先の先端部分が柔らか過ぎてしまい、釣竿としてのバランスが低下してしまう。このため、ストレート状部１２ａの長さについては、先端から２０〜５０ｍｍの範囲で形成しておくことが好ましい。
【００２７】
前記トップガイド１５は、ストレート状部１２ａの先端部分に嵌入した状態で固定される。また、遊動ガイド２０については、調子のバランス、感度等を考慮して、穂先竿杆１０の先端位置からパイプ２１の端部までの距離が１００ｍｍ前後となる位置に固定されることが好ましい。
【００２８】
なお、穂先竿杆１０には、上記した遊動ガイド２０の他に、更に、基端側に複数の遊動ガイド（図３において、第２遊動ガイド２２を示す）を配設しておいても良い。
【００２９】
次に、上記したように構成される穂先竿杆１０を備えた釣竿の作用、効果について説明する。
【００３０】
上記したように、穂先竿杆１０の芯材１２は、図３（ａ）に示すように、先端側から所定位置に屈曲ポイント（ストレート状部１２ａとテーパ部１２ｂの境界となる変化部１２Ａ）を有している。この変化部１２Ａは、仕掛けを巻き込んでしまうと、図３（ｂ）で示すように、変化部１２Ａを屈曲ポイント（曲率が最大となる位置）として大きく撓むようになる。
【００３１】
ところが、前記緩テーパ部１２ｃは、図３（ｂ）に示すように、大きく撓むことがないため、この緩テーパ部１２ｃに固定されている遊動ガイド２０のパイプ２１は、穂先竿杆の外面との間で点接触状態になったり、線接触状態になることが抑制され、遊動ガイド２０の固定力が低下して緩みが生じることを効果的に抑制することが可能となる。
【００３２】
また、遊動ガイド２０は、前記ストレート状部１２ａやテーパ部１２ｂに固定されないため、穂先竿杆１０の先端側の剛性変化を滑らかな状態にすることができ、魚信感度の向上を図ることが可能となる。
【００３３】
また、撓みの屈曲ポイントとなる変化部１２Ａを、ストレート状部１２ａとテーパ部１２ｂとの境界部分に設けており、ストレート状部１２ａを所定の長さ設けているため、ストレート状部を細径化することが可能となり、小さい魚信に対しても穂先の先端部が反応し易い釣竿が得られるようになる。
【００３４】
以上、本発明の実施形態について説明したが、本発明は、上記した実施形態に限定されることはなく、種々変形することが可能である。
【００３５】
例えば、穂先竿杆１０については、必要に応じて繊維強化樹脂製プリプレグを巻回しても良い。この場合、巻回される繊維強化樹脂製プリプレグは、穂先竿杆が大きく撓んだ際に剥離等が生じないように、前記緩テーパ１２ｃ付近から基端側とすることが好ましい。
【００３６】
また、遊動ガイド２０が固定される位置については、緩テーパ上であれば、その位置については限定されることはないが、長過ぎると、トップガイドとの間の距離が広がりすぎて穂先竿杆の外面と釣糸が接触し易くなってしまうので、前記基端部１２Ｂから５〜３０ｍｍの範囲で固定されるようにしておくことが好ましい。
【図面の簡単な説明】
【００３７】
【図１】本発明に係る釣竿の一実施形態を示す図であり、全体構成を示す図。
【図２】（ａ）は穂先竿杆の主要部の構成を示す図、（ｂ）は穂先竿杆の主要部の縦断面図。
【図３】（ａ）は穂先竿杆の通常状態を示す図、（ｂ）は仕掛けを巻き込んだ場合等、穂先竿杆が大きく撓んだ状態を示す図。
【図４】従来の遊動ガイドが装着された穂先竿杆が撓んだ状態を示す図。
【符号の説明】
【００３８】
１  釣竿
１０  穂先竿杆
１２  芯材
１２ａ  ストレート状部
１２ｂ  テーパ部
１２ｃ  緩テーパ部
１２Ａ  変化部
２０  遊動ガイド
２１  パイプ
【図１】
2010104264.tif 000003
【図２】
2010104264.tif 000004
【図３】
2010104264.tif 000005
【図４】
2010104264.tif 000006